(57)【特許請求の範囲】
【請求項１】
自位置特定機能を有する移動機と、当該移動機を基地局を介して収容するネットワークと、移動機と通信可能な端末とを有する情報通信ネットワークシステムであって、
前記端末は、位置を指定して、位置指定通信要求を送出する手段と、当該位置指定通信要求に対する回答を受信する手段とを有し、
前記ネットワークは、
基地局の位置情報を保持し、前記位置指定通信要求により指定された指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得し、当該アドレスあるいは番号を前記位置指定通信要求に対する回答として前記端末に送信する指定位置移動機特定装置と、を有し、
前記指定位置移動機特定装置は、
前記指定位置に近い基地局を経由して当該基地局配下の前記複数の移動機に対して位置情報要求メッセージを送信する手段と、
前記複数の移動機から位置情報の回答を受信し、受信した回答に基づいて、前記指定位置に近い移動機を特定する手段と、を有する
ことを特徴とする情報通信ネットワークシステム。
【請求項２】
自位置特定機能を有する移動機と、当該移動機を基地局を介して収容するネットワークと、移動機が付帯する対象物の属性情報を保持する属性データベースと、当該属性データベースのアドレスを移動機のアドレスあるいは番号から検索可能なアドレスサーバと、移動機と通信可能な端末と、を有する情報通信ネットワークシステムであって、
前記端末は、位置を指定して、位置指定情報検索要求を送出する手段と、当該位置指定情報検索要求に対する回答を受信する手段と、受信した回答に基づき前記アドレスサーバに検索要求を送信し、当該検索要求に対する検索結果を用いて前記属性データベースにアクセスすることにより、対象物の属性情報を取得する手段とを有し、
前記ネットワークは、
基地局の位置情報を保持し、前記位置指定情報検索要求により指定された指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得し、当該アドレスあるいは番号を前記位置指定情報検索要求に対する回答として前記端末に送信する指定位置移動機特定装置と、を有し、
前記指定位置移動機特定装置は、
前記指定位置に近い基地局を経由して当該基地局配下の前記複数の移動機に対して位置情報要求メッセージを送信する手段と、
前記複数の移動機から位置情報の回答を受信し、受信した回答に基づいて、前記指定位置に近い移動機を特定する手段と、を有する
ことを特徴とする情報通信ネットワークシステム。
【請求項３】
自位置特定機能を有する移動機と、当該移動機を基地局を介して収容するネットワークと、移動機と通信可能な端末とを有する情報通信ネットワークシステムにおける情報通信方法であって、
前記ネットワークは、
基地局の位置情報を保持し、指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得する指定位置移動機特定装置と、を有し、
前記端末が、位置を指定して、位置指定通信要求を送出し、
前記指定位置移動機特定装置が、前記位置指定通信要求を受信し、前記基地局位置サーバに問い合わせることにより、当該基地局位置サーバから前記位置指定通信要求により指定された指定位置に近い基地局の回答を受信し、当該指定位置に近い基地局を経由して当該基地局配下の前記複数の移動機に対して位置情報要求メッセージを送信し、前記複数の移動機から位置情報の回答を受信し、受信した回答に基づいて、前記指定位置に近い移動機を特定し、特定した移動機のアドレスあるいは番号を取得し、当該移動機のアドレスあるいは番号を前記位置指定通信要求に対する回答として前記端末に送信し、
前記端末が、前記回答として受信したアドレスあるいは番号を用いて前記移動機と通信を行う
ことを特徴とする情報通信方法。
【請求項４】
自位置特定機能を有する移動機と、当該移動機を基地局を介して収容するネットワークと、移動機が付帯する対象物の属性情報を保持する属性データベースと、当該属性データベースのアドレスを移動機のアドレスあるいは番号から検索可能なアドレスサーバと、移動機と通信可能な端末と、を有する情報通信ネットワークシステムにおける情報通信方法であって、
前記ネットワークは、
基地局の位置情報を保持し、指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得する指定位置移動機特定装置と、を有し、
前記端末が、位置を指定して、位置指定情報検索要求を送出し、
前記指定位置移動機特定装置が、前記位置指定情報検索要求を受信し、前記基地局位置サーバに問い合わせることにより、当該基地局位置サーバから前記位置指定情報検索要求により指定された指定位置に近い基地局の回答を受信し、当該指定位置に近い基地局を経由して当該基地局配下の前記複数の移動機に対して位置情報要求メッセージを送信し、前記複数の移動機から位置情報の回答を受信し、受信した回答に基づいて、前記指定位置に近い移動機を特定し、特定した移動機のアドレスあるいは番号を取得し、当該移動機のアドレスあるいは番号を前記位置指定情報検索要求に対する回答として前記端末に送信し、
前記端末は、受信した回答に基づき前記アドレスサーバに検索要求を送信し、当該検索要求に対する検索結果を用いて前記属性データベースにアクセスすることにより、前記特定された移動機が付帯する対象物の属性情報を取得する
ことを特徴とする情報通信方法。
【発明の詳細な説明】
【技術分野】
【０００１】
本発明は、ＧＰＳ付き携帯電話機等の位置特定機能を有する通信機器を有する人・物に対し、情報通信サービスを提供するための技術に関するものである。
【背景技術】
【０００２】
従来の情報通信ネットワークシステムは、論理空間上のアドレスにより、通信対象を指定している。固定電話では電話番号、インターネットではＩＰアドレスが、それにあたり、これらは、ネットワーク上の位置とも対応しているので、その位置に接続することで通信が可能となる。
【０００３】
携帯電話の電話番号やインターネットでのＵＲＬは、より上位の論理アドレス、ＩＤと言える。これらは、通信相手や情報の論理位置を示すが、ネットワーク上の接続位置は示していないため、前者ではＬＲ（ロケーションレジスタ）、後者ではＤＮＳ（ドメインネームサーバ）により、ネットワーク上の接続位置を示すアドレスへの変換が必要となる。変換後のアドレスを用い、接続する（例えば、非特許文献１、２参照）。
【先行技術文献】
【非特許文献】
【０００４】
【非特許文献１】弓場英明監修、未来ねっと技術シリーズ  ユビキタスネットワーク技術、電気通信協会、2003
【非特許文献２】鈴木滋彦監修、やさしいNGN/IPネットワーク技術箱、電気通信協会、2009
【発明の概要】
【発明が解決しようとする課題】
【０００５】
上述したように、従来の情報通信ネットワークシステムは、論理空間上のアドレスにより、通信対象を指定しているため、物理条件、特に、実際の物理的位置により、情報通信サービスを提供することができない。例えば、ある地点に物を落とした人がいて、その人に連絡をしようとして、「今、ここを通った人」と通信することは困難である。あるいは、今、ここを通った自転車に関わる種別等の情報を得ることは困難である。
【０００６】
本発明は上記の問題点に鑑みてなされたものであり、物理的位置を指定することにより、対象を特定し、当該対象に関わる情報通信サービスを提供するための技術を実現することを目的とする。
【課題を解決するための手段】
【０００７】
上記の課題を解決するために、本発明は、自位置特定機能を有する移動機と、当該移動機を基地局を介して収容するネットワークと、移動機と通信可能な端末とを有する情報通信ネットワークシステムであって、
前記端末は、位置を指定して、位置指定通信要求を送出する手段と、当該位置指定通信要求に対する回答を受信する手段とを有し、
前記ネットワークは、
基地局の位置情報を保持し、前記位置指定通信要求により指定された指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得し、当該アドレスあるいは番号を前記位置指定通信要求に対する回答として前記端末に送信する指定位置移動機特定装置と、を有し、
前記指定位置移動機特定装置は、
前記指定位置に近い基地局を経由して当該基地局配下の前記複数の移動機に対して位置情報要求メッセージを送信する手段と、
前記複数の移動機から位置情報の回答を受信し、受信した回答に基づいて、前記指定位置に近い移動機を特定する手段と、を有することを特徴とする情報通信ネットワークシステムとして構成される。
【０００８】
また、本発明は、自位置特定機能を有する移動機と、当該移動機を基地局を介して収容するネットワークと、移動機が付帯する対象物の属性情報を保持する属性データベースと、当該属性データベースのアドレスを移動機のアドレスあるいは番号から検索可能なアドレスサーバと、移動機と通信可能な端末と、を有する情報通信ネットワークシステムであって、
前記端末は、位置を指定して、位置指定情報検索要求を送出する手段と、当該位置指定情報検索要求に対する回答を受信する手段と、受信した回答に基づき前記アドレスサーバに検索要求を送信し、当該検索要求に対する検索結果を用いて前記属性データベースにアクセスすることにより、対象物の属性情報を取得する手段とを有し、
前記ネットワークは、
基地局の位置情報を保持し、前記位置指定情報検索要求により指定された指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得し、当該アドレスあるいは番号を前記位置指定情報検索要求に対する回答として前記端末に送信する指定位置移動機特定装置と、を有し、
前記指定位置移動機特定装置は、
前記指定位置に近い基地局を経由して当該基地局配下の前記複数の移動機に対して位置情報要求メッセージを送信する手段と、
前記複数の移動機から位置情報の回答を受信し、受信した回答に基づいて、前記指定位置に近い移動機を特定する手段と、を有することを特徴とする情報通信ネットワークシステムとして構成することもできる。
【０００９】
また、本発明は、自位置特定機能を有する移動機と、当該移動機を基地局を介して収容するネットワークと、移動機と通信可能な端末とを有する情報通信ネットワークシステムにおける情報通信方法であって、
前記ネットワークは、
基地局の位置情報を保持し、指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得する指定位置移動機特定装置と、を有し、
前記端末が、位置を指定して、位置指定通信要求を送出し、
前記指定位置移動機特定装置が、前記位置指定通信要求を受信し、前記基地局位置サーバに問い合わせることにより、当該基地局位置サーバから前記位置指定通信要求により指定された指定位置に近い基地局の回答を受信し、当該指定位置に近い基地局を経由して当該基地局配下の前記複数の移動機に対して位置情報要求メッセージを送信し、前記複数の移動機から位置情報の回答を受信し、受信した回答に基づいて、前記指定位置に近い移動機を特定し、特定した移動機のアドレスあるいは番号を取得し、当該移動機のアドレスあるいは番号を前記位置指定通信要求に対する回答として前記端末に送信し、
前記端末が、前記回答として受信したアドレスあるいは番号を用いて前記移動機と通信を行うことを特徴とする情報通信方法として構成することもできる。
【００１０】
更に、本発明は、自位置特定機能を有する移動機と、当該移動機を基地局を介して収容するネットワークと、移動機が付帯する対象物の属性情報を保持する属性データベースと、当該属性データベースのアドレスを移動機のアドレスあるいは番号から検索可能なアドレスサーバと、移動機と通信可能な端末と、を有する情報通信ネットワークシステムにおける情報通信方法であって、
前記ネットワークは、
基地局の位置情報を保持し、指定位置に近い基地局を回答する基地局位置サーバと、
前記基地局位置サーバからの回答により得られた前記指定位置に近い基地局の配下の複数の移動機の中から、前記指定位置に近い移動機を特定し、特定した移動機のアドレスあるいは番号を取得する指定位置移動機特定装置と、を有し、
前記端末が、位置を指定して、位置指定情報検索要求を送出し、
前記指定位置移動機特定装置が、前記位置指定情報検索要求を受信し、前記基地局位置サーバに問い合わせることにより、当該基地局位置サーバから前記位置指定情報検索要求により指定された指定位置に近い基地局の回答を受信し、当該指定位置に近い基地局を経由して当該基地局配下の前記複数の移動機に対して位置情報要求メッセージを送信し、前記複数の移動機から位置情報の回答を受信し、受信した回答に基づいて、前記指定位置に近い移動機を特定し、特定した移動機のアドレスあるいは番号を取得し、当該移動機のアドレスあるいは番号を前記位置指定情報検索要求に対する回答として前記端末に送信し、
前記端末は、受信した回答に基づき前記アドレスサーバに検索要求を送信し、当該検索要求に対する検索結果を用いて前記属性データベースにアクセスすることにより、前記特定された移動機が付帯する対象物の属性情報を取得することを特徴とする情報通信方法として構成することもできる。
【発明の効果】
【００１１】
本発明によれば、物理的位置を指定することにより、対象を特定し、当該対象に関わる情報通信サービスを提供するための技術が実現される。
【図面の簡単な説明】
【００１２】
【図１】本発明の第１の実施の形態に係るシステムの全体構成図である。
【図２】ＭＧＣ１０５の機能構成図である。
【図３】本発明の第１の実施の形態に係るシステムの動作を示すフローチャートである。
【図４】本発明の第１の実施の形態に係るシステムの動作を示すシーケンスチャートである。
【図５】指定位置移動機特定処理を示すフローチャートである。
【図６】指定位置移動機特定処理を示すシーケンスチャートである。
【図７】本発明の第２の実施の形態に係るシステムの全体構成図である。
【図８】本発明の第２の実施の形態に係るシステムの動作を示すフローチャートである。
【図９】本発明の第２の実施の形態に係るシステムの動作を示すシーケンスチャートである。
【発明を実施するための形態】
【００１３】
以下、図面を参照しながら本発明の実施の形態を説明するが、本発明は下記の実施の形態に限定されるものではない。
【００１４】
[第１の実施の形態]
以下、現在位置による通信に関する第１の実施の形態について説明する。以下の実施の形態では、移動機を特定する情報として電話番号を使用しているが、移動機を特定する情報は電話番号に限られない。移動機を特定する情報として、例えば、電話番号以外の番号あるいはＩＰアドレス等のアドレスを用いてもよい。第２の実施の形態でも同様である。
【００１５】
＜システム構成＞
図１に、本実施の形態に係る情報通信ネットワークシステムの全体構成図を示す。図１において、複数の同種の装置に関しては代表的な１つの装置のみに符号を付している。
【００１６】
図１に示すように、本実施の形態に係る情報通信ネットワークシステムは、携帯電話網１０２がインターネット１０９に接続されて構成されている。なお、携帯電話網１０２に接続される網は、インターネット１０９に限られるわけではない。
【００１７】
携帯電話網１０２は、ＢＳ（Ｂａｓｅ  Ｓｔａｔｉｏｎ、基地局）１０６、ＭＣＣ（Ｍｏｂｉｌｅ  Ｃｏｎｔｒｏｌ  Ｃｅｎｔｅｒ、加入者系移動通信制御局）１０７、ＭＧＣ（Ｍｏｂｉｌｅ  Ｇａｔｅｗａｙ  Ｃｅｎｔｅｒ、関門中継系移動通信制御局）１０５、ＢＳ位置サーバ１０３、ＨＬＲ（Ｈｏｍｅ  Ｌｏｃａｔｉｏｎ  Ｒｅｇｉｓｔｅｒ、ホームロケーションレジスタ）１０８を備え、これらの装置が図示のように通信可能に接続されている。また、携帯電話網１０２には、ＭＳ（Ｍｏｂｉｌｅ  Ｓｔａｔｉｏｎ、移動機）１０１が接続される。また、携帯電話網１０２には、他網としてインターネット１０９が接続される。インターネット１０９には端末１０４が接続される。
【００１８】
上記携帯電話網内の各装置のうち、ＢＳ１０６、ＭＣＣ１０７、ＭＧＣ１０５、ＨＬＲ１０８は、携帯電話網に一般的に備えられている装置である。ＢＳ１０６は、移動機１０１から無線アクセスを受け、ＭＣＣ１０７との間の通信の中継を行う装置である。ＭＣＣ１０７は、各種呼制御を行う装置である。ＨＬＲ１０８は、携帯電話の番号や端末識別番号などの情報を管理する装置である。ＭＧＣ１０５は、携帯電話網１０２と他の網との間で通信の中継等を行う装置である。ただし、後述するように、本発明の実施の形態に係るＭＧＣ１０５は、通常の機能に加えて、指定位置移動機特定処理機能を備えている。また、他の装置についても、当該指定位置移動機特定処理を実現するために必要な機能を含む。
【００１９】
ＢＳ位置サーバ１０３は、各ＢＳの緯度・経度情報を保持する記憶手段、及び、当該記憶手段に記憶された情報に基づいて、指定された緯度・経度に近いＢＳを回答する機能を有する装置である。
【００２０】
図２に、本実施の形態に係るＭＧＣ１０５の機能構成図を示す。なお、図２は、ＭＧＣ１０５が有する機能のうち、本発明に特に関係する機能を示す図である。図２に示すように、ＭＧＣ１０５は、要求受信部１０５１、指定位置ＢＳ検索部１０５２、指定位置移動機特定処理部１０５３、指定位置移動機特定結果送信部１０５４、記憶部１０５５を備える。
【００２１】
要求受信部１０５１は、インターネット１０９に接続された端末１０４から位置指定通信要求（第２の実施の形態では位置指定情報検索要求）を受信する機能部である。指定位置ＢＳ検索部１０５２は、ＢＳ位置サーバ１０３に対して指定位置ＢＳの検索を要求し、検索結果を受信する機能部である。指定位置移動機特定処理部１０５３は、指定位置ＢＳ配下の移動機に対して、位置情報要求を送出して回答を得て、その回答から指定の緯度・経度に近い移動機を特定し、その電話番号を取得する機能部である。指定位置移動機特定結果送信部１０５４は、指定位置移動機特定処理部により特定された指定位置移動機の電話番号を、要求元の端末１０４に送信する機能部である。記憶部１０５５はメモリやハードディスク等であり、各処理で用いるデータを保持する機能部である。
【００２２】
上記の機能を備えるＭＧＣ１０５は、指定位置移動機特定装置と呼んでもよい。なお、指定位置移動機特定機能はＭＧＣ１０５以外の装置が備えることとしてもよいし、指定位置移動機特定装置を別個に備えることとしてもよい。
【００２３】
本実施の形態の移動機１０１は、通信対象の人が保持するＧＰＳ機能付き移動機である。移動機１０１は、携帯電話網１０２の端末であって、通常の携帯電話通信ができると共に、ＧＰＳ機能に基づき、位置情報要求に対して、自位置の緯度・経度を回答する機能を備える。
【００２４】
インターネット１０９に接続される端末１０４は、移動機１０１と通信可能な端末である。本実施の形態に係る端末１０４は、位置を指定して、位置指定通信要求を送出する手段と、当該位置指定通信要求に対する回答を受信する手段と、当該回答を用いて移動機１０１と通信する手段とを有する。
【００２５】
＜システムの動作＞
次に、端末１０４から位置指定通信要求があった場合のシステムの動作について、図３のフローチャートの流れに沿って説明する。また、当該フローチャートに対応する信号の流れを示したシーケンスチャートを図４に示すので適宜参照されたい。
【００２６】
図３、図４に示すように、端末１０４は、緯度・経度を指定して、位置指定通信要求を送出する（ステップ１０１）。ＭＧＣ１０５が当該位置指定通信要求を受信する（ステップ１０２）。
【００２７】
位置指定通信要求を受信したＭＧＣ１０５は、当該位置指定通信要求で指定された緯度・経度をもとに、ＢＳ位置サーバ１０３に対して、指定位置ＢＳ検索要求を送出し、ＢＳ位置サーバ１０３が当該検索要求を受信する（ステップ１０３、１０４）。
【００２８】
当該検索要求を受信したＢＳ位置サーバ１０３は、指定位置に近いＢＳであるＢＳ１０６を検索回答としてＭＧＣ１０５に送出する（ステップ１０５）。ＭＧＣ１０５が当該回答（本例ではＢＳ１０６）を受信する（ステップ１０６）。なお、「指定位置に近いＢＳ」は、必ずしも１つである必要はなく、複数であってもよい。複数の場合、各ＢＳについて指定位置移動機特定のための処理が行われ、最も指定位置に近い移動機が特定されることになる。「指定位置に近いＢＳ」は、例えば、指定位置に最も近いものから上位所定数個のＢＳとしてよい。また、「指定位置に近いＢＳ」として、指定位置に最も近い１つのＢＳを採用してもよい。
【００２９】
当該回答を得たＭＧＣ１０５は、指定ＢＳとしてＢＳ１０６を指定し、指定位置移動機特定処理を実行する（ステップ１０７）。指定位置移動機特定処理の詳細は後述する。
【００３０】
ＭＧＣ１０５は、指定位置移動機特定処理により、指定位置に最も近い移動機である移動機１０１の電話番号を得て、その結果を位置指定通信要求元の端末１０４に返送し（ステップ１０８）、端末１０４が返送結果を受信し、移動機１０１の電話番号を取得する（ステップ１０９）。移動機１０１の電話番号を得た端末１０４は、当該電話番号を着信先とする通常の携帯電話発信を行い（ステップ１１０）、移動機１０１が着信を受ける（ステップ１１１）。
【００３１】
上述したステップ１０７の指定位置移動機特定処理について、図５のフローチャートに沿って説明する。また、当該フローチャートに対応する信号の流れを示したシーケンスチャートを図６に示すので適宜参照されたい。
【００３２】
図５に示すように、ＭＧＣ１０５は、位置指定通信要求（第２の実施の形態では位置指定情報検索要求）で指定された緯度・経度を記憶部１０５５に保持し、タイマー設定を行う（ステップ２０１）。続いて、ＭＧＣ１０５は、ＭＧＣ１０５発、指定ＢＳ１０６着の位置情報要求メッセージを送出する（ステップ２０２）。位置情報要求メッセージを受信した指定ＢＳ１０６は、配下の各移動機に対してブロードキャストチャネルにてＭＧＣ１０５発の位置情報要求メッセージを送出する（ステップ２０３）。
【００３３】
位置情報要求メッセージを受信した各移動機は、ＧＰＳによる位置特定を行い（ステップ２０４）、位置情報回答（電話番号、緯度・経度）をＭＧＣ１０５に送信する（ステップ２０５）。
【００３４】
ＭＧＣ１０５は、各移動機から位置情報回答を受信する（ステップ２０６）。移動機毎に位置情報回答を送出する時間は異なるから、ＭＧＣ１０５は、順次各移動機から位置情報回答を受信することになる。ＭＧＣ１０５は、保持している指定緯度・経度に基づいて、新たに受信した移動機位置が、これまでに受信した移動機位置より指定位置に近いかの判断を行い（ステップ２０７）、新たに受信した移動機位置が、これまでに受信した移動機位置より指定位置に近い場合に、それを指定位置に最も近い移動機位置情報（電話番号、緯度・経度）として保持する。つまり、これまで保持した移動機位置情報を更新する（ステップ２０８）。
【００３５】
上記の処理が、タイマーがタイムアウトするまで行われ、タイムアウトした時点での指定位置に最も近い移動機が指定位置移動機（本例では移動機１０１）として特定される（ステップ２０９）。
【００３６】
なお、上記の動作を行うために、ＭＧＣ１０５の指定位置移動機特定処理部１０５３は、
指定位置に近い基地局を経由して当該基地局配下の複数の移動機に対して位置情報要求メッセージを送信する手段と、当該複数の移動機から位置情報の回答を受信し、受信した回答に基づいて、前記指定位置に近い移動機を特定する手段とを少なくとも備えている。
【００３７】
［第２の実施の形態］
次に、現在位置による情報検索に関する第２の実施の形態について説明する。
【００３８】
＜システム構成＞
図７に、本実施の形態に係る情報通信ネットワークシステムの全体構成図を示す。図７において、複数の同種の装置に関しては代表的な１つの装置のみに符号を付している。
【００３９】
本実施の形態では、インターネット１０９に、アドレス情報を保持する装置であるアドレスサーバ２０２と、属性情報を保持する装置である属性データベース（ＤＢ）２０１が接続されている。この点以外のシステム構成は第１の実施の形態と同様である。
【００４０】
本実施の形態では、ＧＰＳ付き移動機１０１が車両や物品などの情報検索対象に付帯しているものとする。当該移動機１０１は、携帯電話網１０２の端末であって、ＧＰＳ機能に基づき、位置情報要求に対して、自位置の緯度・経度を回答することができるとするが、音声通話等の機能は不要である。
【００４１】
また、端末１０４は、位置を指定して、位置指定情報検索要求を送出する手段と、当該位置指定情報検索要求に対する回答を受信する手段と、受信した回答に基づきアドレスサーバ２０２に検索要求を送信し、当該検索要求に対する検索結果を用いて属性データベース２０１にアクセスすることにより、対象物の属性情報を取得する手段とを少なくとも有している。
【００４２】
種別や大きさ、所有者などの情報検索対象の属性は、当該情報検索対象に付帯する移動機の電話番号とともに、あらかじめ、属性データベース（ＤＢ）２０１に保持されており、同データベースには端末１０４がインターネットを介してアクセス可能であるとする。さらに、移動機１０１の電話番号と、移動機１０１が付いた情報検索対象の属性データベースのＵＲＬ等のアドレスの対がアドレスサーバ２０２に保持され、電話番号に対応するアドレスが容易に検索可能であるとする。アドレスサーバ２０２のアドレスは公知とし、誰でもアクセス可能とする。
【００４３】
＜システムの動作＞
次に、端末１０４から位置指定情報検索要求があった場合のシステムの動作について、図８のフローチャートの流れに沿って説明する。また、当該フローチャートに対応する信号の流れを示したシーケンスチャートを図９に示すので適宜参照されたい。  
図８、図９に示すように、端末１０４は、緯度・経度を指定して、位置指定情報検索要求を送出する（ステップ３０１）。ＭＧＣ１０５が当該位置指定通信要求を受信する（ステップ３０２）。
【００４４】
位置指定情報検索要求を受信したＭＧＣ１０５は、当該位置指定情報検索要求で指定された緯度・経度をもとに、ＢＳ位置サーバ１０３に対して、指定位置ＢＳ検索要求を送信し、ＢＳ位置サーバ１０３が当該検索要求を受信する（ステップ３０３、３０４）。
【００４５】
当該検索要求を受信したＢＳ位置サーバ１０３は、指定位置に近いＢＳであるＢＳ１０６を検索回答としてＭＧＣ１０５に送出する（ステップ３０５）。ＭＧＣ１０５が当該回答を受信する（ステップ３０６）。
【００４６】
ＭＧＣ１０５は、指定位置移動機特定処理（ステップ３０７）により、指定位置に最も近い移動機である移動機１０１の電話番号を得て、その結果を位置指定通信要求元の端末１０４に返送し（ステップ３０８）、端末１０４が返送結果を受信し、移動機１０１の電話番号を取得する（ステップ３０９）。ステップ３０３〜３０９の処理は、第１の実施の形態におけるステップ１０３〜１０９の処理と同じである。
【００４７】
移動機１０１の電話番号を得た端末１０４は、アドレスサーバ２０２にアクセスし、移動機１０１の電話番号に対応する属性ＤＢのアドレスを検索する（ステップ３１０）。アドレスサーバ２０２は、当該検索結果（属性ＤＢ２０１のアドレス）を回答する（ステップ３１１）。端末１０４は、当該検索結果の回答を受信する（ステップ３１２）。
【００４８】
検索結果の回答を得た端末１０４は、当該回答をもとに、移動機１０１の電話番号をキーに属性ＤＢ２０１にアクセスし（ステップ３１３）、該当する対象の属性情報を得る（ステップ３１４）。これにより、端末１０１は、移動機１０１が付いている物品等の属性を表示できる。
【００４９】
［実施の形態の効果］
本発明の実施の形態で説明した技術により、物理的な位置を指定した通信、情報検索が可能となる。これにより、例えばある場所で落し物を発見した時に、端末から落し物の発見場所を指定して付近の携帯電話に連絡をとるといったサービスの実現が可能となる。
【００５０】
また、遠隔地のある地点に何らかの危険が生じた場合、直接その地点に出向く以前に付近一帯のすべての端末に警報メッセージを送出するといったサービスも実現が可能である。具体的にはダムの放水情報の送出などが考えられる。
【００５１】
更には自動車や自転車などに本発明による移動機を設置することにより、ある特定位置の付近に現在いる自動車や自転車の属性を把握することが可能となり、たとえば犯罪捜査などに有効に活用できる。
【００５２】
本発明は、上記の実施の形態に限定されることなく、特許請求の範囲内において、種々変更・応用が可能である。
【符号の説明】
【００５３】
１０１  ＭＳ
１０２  携帯電話網
１０３  ＢＳ位置サーバ
１０４  端末
１０５  ＭＧＣ
１０６  ＢＳ
１０７  ＭＣＣ
１０８  ＨＬＲ
１０９  インターネット
１０５１  要求受信部
１０５２  指定位置ＢＳ検索部
１０５３  指定位置移動機特定処理部
１０５４  指定位置移動機特定結果送信部
１０５５  記憶部
２０２  アドレスサーバ
２０１  属性データベース（ＤＢ）
【図１】
0005687600.tif 000002
【図２】
0005687600.tif 000003
【図３】
0005687600.tif 000004
【図４】
0005687600.tif 000005
【図５】
0005687600.tif 000006
【図６】
0005687600.tif 000007
【図７】
0005687600.tif 000008
【図８】
0005687600.tif 000009
【図９】
0005687600.tif 000010